(57)【要約】      （修正有）【課題】横幅の広い書籍も収納でき、又書籍の冊数が多いときにも無理なく持ち運ぶことができるようにした書籍バッグを提供する。【解決手段】折り重ねられて前後の外殻部分１０Ａ，１０Ｂを構成する本体１０と、本体１０の前側又は後側の外殻部分１０Ａ，１０Ｂから左右横方向に突出して設けられ、その外側縁が相互に連結されることによって前後の外殻部分１０Ａ，１０Ｂの間にマチ部分を構成するマチ構成部２０と、相互に締着されることによってマチ部分の幅を調整可能に上記マチ構成部２０の外側縁を相互に連結する連結部３０と、本体１０に設けられた携帯部４０と、を備える。【選択図】図２
0003150260.tif 000002
【実用新案登録請求の範囲】
【請求項１】
書籍を持ち運ぶのに用いられる書籍バッグであって、
折り重ねられて前後の外殻部分(10A,10B)を構成する本体(10)と、
該本体(10)の前側又は後側の外殻部分(10A,10B) から左右横方向に突出して設けられ、その外側縁が相互に連結されることによって前後の外殻部分(10A,10B) の間にマチ部分を構成するマチ構成部(20)と、
相互に締着されることによってマチ部分の幅を調整可能に上記マチ構成部(20)の外側縁を相互に連結する連結部(30)と、
上記本体に設けられた携帯部(40,40')と、
を備えたことを特徴とする書籍バッグ。
【請求項２】
上記携帯部が手提げ又は肩掛け用の紐(40)又はバンド(40') である請求項１記載の書籍バッグ。
【請求項３】
上記連結部(30)は相互に締着可能な雌雄の締着テープ(30A,30B) である請求項１記載の書籍バッグ。
【請求項４】
上記雌雄の締着テープ(30A,30B)の一方は上記マチ構成部(20)に固着され、他方は上記マチ構成部(20)に固着されたゴム紐(30C)に固着されている請求項３記載の書籍バッグ。
【考案の詳細な説明】
【技術分野】
【０００１】
本考案は書籍バッグに関し、特に横幅の広い書籍も収納でき、又書籍の冊数が多いときにも無理なく持ち運ぶことができるようにしたバッグに関する。
【背景技術】
【０００２】
従来より、書籍を持ち運ぶ場合、バッグや手提げ袋がよく利用される（特許文献１、特許文献２、特許文献３）。また、書籍を持ち運びに用いる袋状のブック収納ケースや書籍カバーを兼用したバッグも知られている（特許文献４、特許文献５）。
【先行技術文献】
【特許文献】
【０００３】
【特許文献１】特開２００８−１０４８２６号公報
【特許文献２】特開２００６−２４７０７１号公報
【特許文献３】特開２００９−１２８４号公報
【特許文献４】特開２００９−１８５９５号公報
【特許文献５】特開平０９−２２６１８１号公報
【考案の開示】
【考案が解決しようとする課題】
【０００４】
しかし、従来のバッグや手提げ袋では持ち運ぶ書籍の冊数が多いときや書籍の横幅が広いときには入りきらず、２〜３回に分けて持ち運ぶか、あるいは複数の人が手分けして持ち運ぶ必要があった。また、多数の書籍をバッグや手提げ袋に無理やり押し込むと、書籍を傷めることがあった。
【０００５】
本考案はかかる問題点に鑑み、横幅の広い書籍も収納でき、又書籍の冊数が多いときにも無理なく持ち運ぶことができるようにした書籍バッグを提供することを課題とする。
【課題を解決するための手段】
【０００６】
そこで、本考案に係る書籍バッグは、書籍を持ち運ぶのに用いられる書籍バッグであって、折り重ねられて前後の外殻部分を構成する本体と、該本体の前側又は後側の外殻部分から左右横方向に突出して設けられ、その外側縁が相互に連結されることによって前後の外殻部分の間にマチ部分を構成するマチ構成部と、相互に締着されることによってマチ部分の幅を調整可能に上記マチ構成部の外側縁を相互に連結する連結部と、上記本体に設けられた携帯部と、を備えたことを特徴とする。
【０００７】
本考案の特徴の１つは相互に連結可能なマチ構成部によって前後の外殻部分の間にマチ部分を構成するようにした点にある。これにより、書籍の冊数や横幅に応じてマチ部分の幅を調整することによって書籍を無理なく収納して持ち運ぶことでができる。
【０００８】
また、書籍をバッグに無理に押し込む必要がないので、書籍、例えば書籍の角を傷めることもない。したがって、本考案に係る書籍バッグは多数の書籍を持ち運ぶ必要のある図書館において大きな効果を奏する。
【０００９】
携帯部は書籍バッグを持ち運ぶことができればよく、具体的には手提げ用又は肩掛け用の紐やバンドを採用することができる。
【００１０】
また、連結部は相互に連結できればよく、例えばフックと受け、雌雄のボタン、ボタンとボタン穴の組合せなどを採用することができるが、雌雄の締着テープ（商品名：マジックテープ（登録商標））を採用すると、脱着が容易である。
【００１１】
この場合、長尺の締着テープを採用し、マチ構成部を幅方向に延びて固着してもよいが、収納できる書籍数や書籍の大きさに制限がある。そこで、雌雄の締着テープの一方をマチ構成部に固着し、他方をマチ構成部に固着されたゴム紐に固着すると、ゴム紐の伸縮性と相まって多数の書籍や横幅の大きい書籍を無理なく収納できる。
【００１２】
本体及びマチ構成部の材料は特に限定されず、例えば織布、不織布、皮革、合成皮革、合成樹脂シートなどを採用することができる。
【図面の簡単な説明】
【００１３】
【図１】本考案に係る書籍バッグの好ましい実施形態の展開した状態を示す図である。
【図２】上記実施形態における書籍を収納する途中の状態を示す斜視図である。
【図３】第２の実施形態の展開した状態を示す図である。
【考案を実施するための形態】
【００１４】
以下、本考案を具体例に基づいて詳細に説明する。図１及び図２は本考案に係る書籍バッグの好ましい実施形態を示す。図において、本例の書籍バッグは本体１０、マチ構成部２０、連結部３０及び手提げ紐（携帯部）４０から構成されている。
【００１５】
本体１０及びマチ構成部２０は織布を四角形状に裁断し、２つに折り重ねて周縁を縫合して長方形状に製作されている。
【００１６】
本体１０は２つに折られて前後の外殻部分１０Ａ、１０Ｂを構成するようになっており、後側の外殻部分１０Ｂにはマチ構成部２０が横長にして重ねられて周縁を縫合され、マチ構成部２０は後側の外殻部分１０Ｂから左右の外側方に突出されている。
【００１７】
マチ構成部２０の一方の突出部分には雌又は雄の締着テープ３０Ｂが横長に重ね縫合して固着されている。マチ構成部２０の他方の突出部分には帯状のゴム紐３０Ｃの端部が重ねられて縫合され、ゴム紐３０Ｃには雄又は雌の締着テープ３０Ａが重ねられて縫合されている。
【００１８】
また、本体１０の両端縁には手提げ紐４０の両端が縫合されている。
【００１９】
書籍５０を持ち運ぶ場合、図２に示されるように、後側の外殻部分１０Ｂに書籍５０を重ねて載せ、書籍５０の上にマチ構成部２０を折り返して重ね、ゴム紐３０Ｃを引っ張って締着テープ３０Ａを締着テープ３０Ｂに締着させる。
【００２０】
すると、マチ構成部２０は書籍５０に抱きついて書籍５０の厚みに応じたマチ部分を構成するとともに、ゴム紐３０Ｃの伸縮弾性によって書籍５０を弾性保持するので、後は前側の外殻部分１０Ａを図２の矢印Ａに示すように折り返し、２つの手提げ紐４０を重ねて持つと、書籍５０を無理なく収納して持ち運ぶことができる。
【００２１】
横幅の広い書籍の場合にもマチ構成部２０が書籍の横幅に応じたマチ部分を構成するので、無理なく持ち運ぶことができる。
【００２２】
図３は第２の実施携帯を示す。本例では手提げ紐４０に代え、肩掛け用のベルト４０’を採用し、書籍バッグを肩にかけて持ち運べるようにしている。
【符号の説明】
【００２３】
１０              本体
１０Ａ、１０Ｂ    外殻部分
２０              マチ構成部
３０              連結部
３０Ａ、３０Ｂ    締着テープ
３０Ｃ            ゴム紐
４０              手提げ紐
４０’            肩掛け用ベルト
５０              書籍
【図１】
0003150260.tif 000003
【図２】
0003150260.tif 000004
【図３】
0003150260.tif 000005